(57)【特許請求の範囲】
【請求項１】
前面側にスイッチ（７）が配設された上筐体（９）と、前記上筐体の前面側に嵌合されたパネル（８）と、前記パネルに嵌合されたボタン（１）と、前記上筐体と前記ボタンとの間に配設されたスイッチ押圧部材（Ｓ）と、前記ボタンの下部側の端部と対向する側に設けられた係止部（５）とを備え、
前記スイッチ押圧部材は、前記スイッチと対向する位置に設けられるスイッチ接触面（４）と、前記係止部と対向する位置に設けられる回動支点（６）とを備え、
前記ボタンは、前記スイッチ押圧部材と対向する位置に設けられる回動軸（２）と、前記回動軸と前記回動支点との間にあって前記回動軸に近い位置に設けられる押込部（３）とを備え、
前記係止部の前記ボタンの下部側の端部と対向する側には、上方に向かって突出する山形状の曲面部（５１）が設けられ、
前記押込部の前記スイッチ押圧部材と対向する側には、円弧状の曲面部（３１）が設けられ、
前記ボタンを押し込むことによって前記回動軸を枢軸として前記ボタンが回動し、前記押込部で前記スイッチ接触面を押し込んで前記回動支点を枢支点として前記スイッチ接触面が回動し前記スイッチを押し込むことによって動作させ、押し込まれた前記ボタンの位置を前記係止部でそのまま保持させることを特徴とするシーソー型ボタン構造。
【発明の詳細な説明】
【０００１】
【発明の属する技術分野】
【０００２】
本発明はシーソー型ボタン構造に係り、特に非常ボタン等に用いられボタンの押し込み操作を行なうシーソー型ボタン構造に関する。
【従来の技術】
【０００３】
非常ボタン等に用いられ、ボタンの押し込み操作を行なうシーソー型ボタンは、図２に示すように、ボタン１０がパネル８に嵌合され、パネル８は上筐体９に嵌合された構成になっている。
【０００４】
従来のシーソー型ボタン構造は、図３（ａ）に示すように、ボタン１０を押し込むことによって回動軸２を枢軸としてボタン１０が回動し、ボタン１０に成形された押込部３０の押込平面３９でスイッチ接触面４を押し込んで回動支点６を枢支点としてスイッチ接触面４が回動しスイッチ７を押し込むことによって動作させ、押し込まれたボタン１０の位置を係止部５０でそのまま保持させるよう、係止部５０は水平部Ａと水平部Ａと平行な頂部Ｃとを備え、図３（ｂ）に示すように、係止部５０の両側には穴５２が設けられている。
【０００５】
このような従来のシーソー型ボタン構造の動作を説明する。
【０００６】
図３（ａ）に示すように、ボタン１０と一体になっている回動軸２はパネル８と一体になっている丸穴１１に嵌合され、ボタン１０を矢印Ｘの向きに押し込むことで回動軸２を軸にしてボタン１０は回動し、図３（ｂ）に示すように、係止部５０の両側に設けられた穴５２により係止部５０は上下にたわむことが可能となり、図３（ｃ）で示すように、押し込まれたボタン１０は係止部５０を下方にたわませて係止部５０の頂部Ｃを乗り越える。係止部５０の頂部Ｃを乗り越えることでボタン１０に成形された押込部３０の押込平面３９がスイッチ接触面４と平面的に接触してスイッチ接触面４をたわませて押し込み、スイッチ７をＯＮさせ、ボタン１０の端部Ｂが係止部５０の水平部Ａに留まることで、押し込まれたスイッチ７はＯＮしたままの状態となる。
【発明が解決しようとする課題】
【０００７】
このようなシーソー型ボタン構造においては、ボタン１０の端部Ｂがフラットであり、係止部５０の頂部Ｃもフラットであるため、ボタン１０が係止部５０の頂部Ｃを乗り越える際、面と面が接触しスイッチ７を押し込む前にボタン１０が途中で止まってしまうという難点がある。
【０００８】
また、ボタン１０に成形された押込部３０が回動支点６の近くにあり、スイッチ７から離れているため、スイッチ７を押し込んだ後、スイッチ接触面４の復元力が強くなるためボタン１０に対して強い押込力が必要となる問題がある。
【０００９】
本発明は、上述の難点を解消するためになされたもので、ボタンの押し込みを円滑に且つ軽微な力で押し込み可能なシーソー型ボタン構造を提供することを目的とする。
【課題を解決するための手段】
【００１０】
このような目的を達成するため、本発明によるシーソー型ボタン構造は、前面側にスイッチが配設された上筐体と、上筐体の前面側に嵌合されたパネルと、パネルに嵌合されたボタンと、上筐体とボタンとの間に配設されたスイッチ押圧部材と、ボタンの下部側の端部と対向する側に設けられた係止部とを備え、スイッチ押圧部材は、スイッチと対向する位置に設けられるスイッチ接触面と、係止部と対向する位置に設けられる回動支点とを備え、ボタンは、スイッチ押圧部材と対向する位置に設けられる回動軸と、回動軸と回動支点との間にあって回動軸に近い位置に設けられる押込部とを備え、係止部のボタンの下部側の端部と対向する側には、上方に向かって突出する山形状の曲面部が設けられ、押込部のスイッチ押圧部材と対向する側には、円弧状の曲面部が設けられ、ボタンを押し込むことによって回動軸を枢軸としてボタンが回動し、押込部でスイッチ接触面を押し込んで回動支点を枢支点としてスイッチ接触面が回動しスイッチを押し込むことによって動作させ、押し込まれたボタンの位置を係止部でそのまま保持させるものである。
【００１１】
このようなシーソー型ボタン構造によれば、係止部および押込部の曲面部によりボタンの押し込みは円滑に行なわれ、且つ押込部が回動軸に近く回動支点に遠い位置に配置されるので軽微な力で押し込みが可能である。
【発明の実施の形態】
【００１２】
以下、本発明によるシーソー型ボタン構造の好ましい実施の形態例について図面を参照して詳述する。
【００１３】
非常ボタン等に用いられ、ボタンの押し込み操作を行なうシーソー型ボタンは、図２に示すように、ボタン１がパネル８に嵌合され、パネル８は上筐体９に嵌合された構成になっている。また、上筐体８とボタン１との間にはスイッチ押圧部材Ｓが配設されている。
【００１４】
本発明によるシーソー型ボタン構造は、図１（ａ）に示すように、ボタン１を押し込むことによって回動軸２を枢軸としてボタン１が回動し、ボタン１に成形された押込部３でスイッチ接触面４を押し込んで回動支点６を枢支点としてスイッチ接触面４が回動しスイッチ７を押し込むことによって動作させ、押し込まれたボタン１の位置を係止部５でそのまま保持させるシーソー型ボタン構造で、ボタン１を円滑に押し込むことを可能とするため係止部５には曲面部５１を、押込部３には曲面部３１をそれぞれ備えている。
【００１５】
また、曲面部３１を有する押込部３は、回動軸２と回動支点６との間にあって、ボタン１の押込力を軽減可能とするため、回動軸２に近く回動支点６に遠い位置に配置される。
【００１６】
このような本発明によるシーソー型ボタン構造の動作を以下に説明する。
【００１７】
図１（ａ）に示すように、ボタン１と一体になっている回動軸２はパネル８と一体になっている丸穴１１に嵌合され、ボタン１を矢印Ｘの向きに押し込むことで回動軸２を軸にしてボタン１は回動し、図１（ｂ）に示すように、押し込まれたボタン１は係止部５を下方にたわませて係止部５の曲面部５１を乗り越える。係止部５に曲面部５１を設けることによって、ボタン１を矢印Ｘの向きに押し込んだとき、ボタン１は係止部５を乗り越える際、ボタン１の端部Ｂは平面であっても、係止部５側は曲面部５１を有するため平面どうしの接触が無くなって平面（端部Ｂ）と曲面（曲面部５１）との接触になり、ボタン１が係止部５の途中で止まることはない。
【００１８】
また、図１（ｂ）に示すように、係止部５の曲面部５１を乗り越えることでボタン１に成形された押込部３の曲面部３１がスイッチ接触面４と接触してスイッチ接触面４をたわませて押し込み、スイッチ７をＯＮさせ、ボタン１の端部Ｂが係止部５に留まることで、押し込まれたスイッチ７はＯＮしたままの状態となる。
【００１９】
このように、本発明によるシーソー型ボタン構造によれば、係止部５および押込部３はそれぞれ曲面部５１、３１を備えているのでボタン１の押し込みは円滑に行なわれ、押込部３が回動軸２と回動支点６の間で、回動軸２に近く回動支点６から遠い位置に配置されることにより、ボタン１の押込力を軽減することができる。
【発明の効果】
【００２０】
以上の説明から明らかなように、本発明のシーソー型ボタン構造によれば、ボタンを押し込むことによって回動軸を枢軸としてボタンが回動し、ボタンに成形された押込部でスイッチ接触面を押し込んで回動支点を枢支点としてスイッチ接触面が回動しスイッチを押し込むことによって動作させ、押し込まれたボタンの位置を係止部でそのまま保持させるシーソー型ボタン構造であって、係止部および押込部は、ボタンを円滑に押し込むことを可能とするための曲面部をそれぞれ備えているので、係止部および押込部の曲面部によりボタンの押し込みは円滑に行なわれ、且つ押込部は、回動軸と回動支点との間にあって、ボタンの押込力を軽減可能とするため回動軸に近く回動支点に遠い位置に配置されるので、軽微な力で押し込みが可能である。
【図面の簡単な説明】
【００２１】
【図１】  本発明によるシーソー型ボタン構造の説明図で、(ａ)はボタンを押し込んでいない状態を示す断面図、(ｂ)はボタンを押し込んだ状態を示す断面図である。
【図２】  シーソー型ボタンの構成を示す正面図である。
【図３】  従来のシーソー型ボタン構造の説明図で、(ａ)はボタンを押し込んでいない状態を示す断面図、(ｂ)は係止部の形状を正面から見た時の断面図、(ｃ)はボタンを押し込んだ状態を示す断面図である。
【符号の説明】
【００２２】
１・・・・・ボタン
２・・・・・回動軸
３・・・・・押込部
３１・・・曲面部
Ｓ・・・スイッチ押圧部材
４・・・・・スイッチ接触面
５・・・・・係止部
５１・・・曲面部
６・・・・・回動支点
７・・・・・スイッチ
８・・・パネル
９・・・上筐体
【図１】
0004758014.tif 000002
【図２】
0004758014.tif 000003
【図３】
0004758014.tif 000004